(57)【要約】【課題】通信性能を向上させることができる通信機能付電子機器を提供する。【解決手段】実施形態の電子時計１は、通信を行うためのアンテナ１０を有するムーブメント２と、ムーブメント２の表側に配置された文字板３と、ムーブメント２および文字板３を収容する金属製のケース４と、を備え、ケース４の最内周と文字板３の外周との間には、平面的に開口する開口部１１が設けられている。【選択図】図１
2020159763.tif 000002
【特許請求の範囲】
【請求項１】
通信を行うためのアンテナを有するムーブメントと、
前記ムーブメントの一方側に配置された金属体と、
前記ムーブメントおよび前記金属体を収容する金属製のケースと、を備え、
前記ケースの最内周と前記金属体の外周との間には、平面的に開口する開口部が設けられていることを特徴とする通信機能付電子機器。
【請求項２】
前記ケースと前記金属体とを絶縁する絶縁手段を更に備えることを特徴とする請求項１に記載の通信機能付電子機器。
【請求項３】
前記絶縁手段は、前記開口部の開口方向において前記ケースと前記金属体との間に配置されていることを特徴とする請求項２に記載の通信機能付電子機器。
【請求項４】
前記金属体は、前記開口部の開口方向において前記ケースと前記金属体とを位置決めするための位置決め凸部を備え、
前記絶縁手段は、前記位置決め凸部と前記ケースと間に配置された絶縁部材であることを特徴とする請求項２または３に記載の通信機能付電子機器。
【請求項５】
前記金属体は、円板状の本体部と、前記本体部の外周に連結された前記位置決め凸部と、を備え、
前記絶縁部材は、前記本体部の外周および前記位置決め凸部と平面的に重なる円環状を有することを特徴とする請求項４に記載の通信機能付電子機器。
【請求項６】
前記金属体は、金属製の文字板であり、
前記開口部と平面的に重なる絶縁性のダイヤルリングを更に備えることを特徴とする請求項１から５のいずれか一項に記載の通信機能付電子機器。
【請求項７】
前記ダイヤルリングは、前記開口部の開口方向において前記ケースと前記金属体との間に空隙を維持した状態で前記金属体を支持することを特徴とする請求項６に記載の通信機能付電子機器。
【請求項８】
前記ダイヤルリングは、金属製の目盛、金属製の装飾、金属粉末を含む塗装、金属粉末を含む印刷、の少なくとも一つを含むリング側金属体を備え、
前記リング側金属体は、前記金属体および前記ケースと絶縁されていることを特徴とする請求項７に記載の通信機能付電子機器。
【請求項９】
前記金属体は、太陽電池の裏面電極であり、
前記開口部と平面的に重なる絶縁性の文字板を更に備えることを特徴とする請求項１から５のいずれか一項に記載の通信機能付電子機器。
【請求項１０】
前記ムーブメントは、電源電位に接続された電極が形成された回路基板を更に備え、
前記回路基板と前記金属体とを電気的に接続する接続部材を更に備えることを特徴とする請求項１から９のいずれか一項に記載の通信機能付電子機器。
【請求項１１】
前記ムーブメントは、前記開口部の開口方向に開口する貫通孔を有するムーブ枠を更に備え、
前記貫通孔は、前記アンテナと平面的に重ならない位置に配置され、
前記接続部材は、前記ムーブ枠の前記貫通孔に配置されていることを特徴とする請求項１０に記載の通信機能付電子機器。
【請求項１２】
前記ムーブメントは、駆動機構を更に備え、
前記貫通孔は、前記駆動機構と平面的に重ならない位置に配置されていることを特徴とする請求項１１に記載の通信機能付電子機器。
【請求項１３】
前記接続部材は、導電性を有する弾性体であることを特徴とする請求項１１または１２に記載の通信機能付電子機器。
【請求項１４】
前記通信機能付電子機器は、時刻の表示を行う電子時計であることを特徴とする請求項１から１３のいずれか一項に記載の通信機能付電子機器。
【発明の詳細な説明】
【技術分野】
【０００１】
本発明の実施形態は、通信機能付電子機器に関する。
【背景技術】
【０００２】
従来、時刻情報等の様々な情報を無線により受信もしくは送受信を行う通信機能付電子機器（例えば電子時計）が知られている。通信機能付きの電子時計としては、金属製のケースと、ケースに収納された電波受信用のアンテナと、時刻表示部を駆動するムーブメントと、ケースの内面とムーブメントとの間に挟持された金属製の文字板と、を備えたものがある（例えば、特許文献１参照）。例えば、特許文献１では、金属ケースに収納されているアンテナの受信感度を確保するために、文字板とムーブメント、文字板とケース、ケースと裏蓋、との各当接面に絶縁層が設けられている。
【先行技術文献】
【特許文献】
【０００３】
【特許文献１】特開２００４−３２５３１５号公報
【発明の概要】
【発明が解決しようとする課題】
【０００４】
しかしながら、ケースの内周部と文字板の外周部とが平面的に全体的に重なっているため、この重なり部によって電波が遮断されてしまう。そのため、通信性能を向上させる上で改善の余地があった。
【０００５】
本発明の実施形態は、上記の課題を解決するためになされたものであって、通信性能を向上させることができる通信機能付電子機器を提供することを目的とする。
【課題を解決するための手段】
【０００６】
上記課題の解決手段として、本発明の態様は以下の構成を有する。
（１）本発明の態様に係る通信機能付電子機器は、通信を行うためのアンテナを有するムーブメントと、前記ムーブメントの一方側に配置された金属体と、前記ムーブメントおよび前記金属体を収容する金属製のケースと、を備え、前記ケースの最内周と前記金属体の外周との間には、平面的に開口する開口部が設けられていることを特徴とする。
【０００７】
この構成によれば、ケースの最内周と金属体の外周との間には、平面的に開口する開口部が設けられていることで、開口部を通じて電波の通過領域を確保することができる。すなわち、ケースの内周部と金属体の外周部とが平面的に全体的に重なる構成と比較して、電波の通過領域を拡大することができる。したがって、通信機能付電子機器の通信性能を向上させることができる。加えて、ケースを金属製とした場合には、金属体の金属光沢と相俟って外観上の高級感をより一層高めることができる。
【０００８】
（２）上記（１）に記載の通信機能付電子機器では、前記ケースと前記金属体とを絶縁する絶縁手段を更に備えてもよい。
【０００９】
この構成によれば、ケースと金属体とが直接電気的に接続されず、電磁界的には結合されない。これにより、電波の遮断性能を低下させ、通信機能付電子機器の通信性能をより一層向上させることができる。
【００１０】
（３）上記（２）に記載の通信機能付電子機器では、前記絶縁手段は、前記開口部の開口方向において前記ケースと前記金属体との間に配置されていてもよい。
【００１１】
この構成によれば、開口部の開口方向においてケースと金属体とが絶縁され、電波の遮断性能が低下するため、通信機能付電子機器の通信性能をより一層向上させることができる。加えて、裏蓋とケースとの絶縁を行わなくても十分な通信性能を確保することができる。
【００１２】
（４）上記（２）または（３）に記載の通信機能付電子機器では、前記金属体は、前記開口部の開口方向において前記ケースと前記金属体とを位置決めするための位置決め凸部を備え、前記絶縁手段は、前記位置決め凸部と前記ケースと間に配置された絶縁部材であってもよい。
【００１３】
この構成によれば、位置決め凸部によって開口部の開口方向におけるケースと金属体との位置決め（断面方向の位置決め）を行うことができる。加えて、位置決め凸部によって絶縁手段の平面的な配置スペースを確保することができる。
【００１４】
（５）上記（４）に記載の通信機能付電子機器では、前記金属体は、円板状の本体部と、前記本体部の外周に連結された前記位置決め凸部と、を備え、前記絶縁部材は、前記本体部の外周および前記位置決め凸部と平面的に重なる円環状を有してもよい。
【００１５】
この構成によれば、本体部の外周および位置決め凸部と平面的に重なる円環状の部分（絶縁部材）においてケースと金属体とが絶縁され、電波の遮断性能が低下するため、通信機能付電子機器の通信性能をより一層向上させることができる。加えて、本体部の外周および位置決め凸部によって絶縁部材を広範囲で安定して支持することができる。
【００１６】
（６）上記（１）から（５）のいずれか一項に記載の通信機能付電子機器では、前記金属体は、金属製の文字板であり、前記開口部と平面的に重なる絶縁性のダイヤルリングを更に備えてもよい。
【００１７】
この構成によれば、ダイヤルリングによって開口部が隠れるため、外観性をより一層高めることができる。加えて、ケースを金属製とした場合には、文字板の金属光沢と相俟って外観上の高級感をより一層高めることができる。
【００１８】
（７）上記（６）に記載の通信機能付電子機器では、前記ダイヤルリングは、前記開口部の開口方向において前記ケースと前記金属体との間に空隙を維持した状態で前記金属体を支持してもよい。
【００１９】
この構成によれば、開口部の開口方向においてケースと金属体とが絶縁され、電波の遮断性能が低下するため、通信機能付電子機器の通信性能をより一層向上させることができる。
【００２０】
（８）上記（７）に記載の通信機能付電子機器では、前記ダイヤルリングは、金属製の目盛、金属製の装飾、金属粉末を含む塗装、金属粉末を含む印刷、の少なくとも一つを含むリング側金属体を備え、前記リング側金属体は、前記金属体および前記ケースと絶縁されていてもよい。
【００２１】
この構成によれば、リング側金属体の金属光沢によって外観上の高級感をより一層高めることができる。加えて、リング側金属体は無給電素子と同様の性能を発揮し、アンテナの送受信性能を向上させることができ、通信機能付電子機器の通信性能をより一層向上させることができる。
【００２２】
（９）上記（１）から（５）のいずれか一項に記載の通信機能付電子機器では、前記金属体は、太陽電池の裏面電極であり、前記開口部と平面的に重なる絶縁性の文字板を更に備えてもよい。
【００２３】
この構成によれば、太陽電池を備えた通信機能付電子機器の通信性能を向上させることができる。加えて、文字板によって開口部が隠れるため、外観性をより一層高めることができる。ところで、通信性能を確保するためにアンテナと平面的に重なる部分にアンテナよりも大きい開口部を設けた場合、必要な発電面積を確保するために太陽電池の外形を拡大する必要があり、小型化を図る上で課題がある。これに対しこの構成によれば、ケースの最内周と金属体の外周との間を平面的に開口する開口部を備えることで、太陽電池の外形を拡大することなく、開口部を通じて電波の通過領域を確保し、アンテナの送受信性能を維持させることができる。したがって、通信機能付電子機器の小型化を図る上で好適である。
【００２４】
（１０）上記（１）から（９）のいずれか一項に記載の通信機能付電子機器では、前記ムーブメントは、電源電位に接続された電極が形成された回路基板を更に備え、前記回路基板と前記金属体とを電気的に接続する接続部材を更に備えてもよい。
【００２５】
ところで、金属体の電位がフローティングの場合、ケースに印加された電荷（静電気）が金属体に放電する可能性が高い。金属体への放電は一時的かつ微小なものであるが、放電の際、ムーブメントの回路基板に影響を及ぼす可能性が高い。これに対しこの構成によれば、接続部材によって回路基板（具体的には回路基板に形成され、電源電位に接続された電極）と金属体とが電気的に接続されることで、金属体の電位が電源電位と同じになるため、金属体への放電の際、回路基板に影響を及ぼす可能性は低い。したがって、耐静電気性の低下を抑制することができる。
【００２６】
（１１）上記（１０）に記載の通信機能付電子機器では、前記ムーブメントは、前記開口部の開口方向に開口する貫通孔を有するムーブ枠を更に備え、前記貫通孔は、前記アンテナと平面的に重ならない位置に配置され、前記接続部材は、前記ムーブ枠の前記貫通孔に配置されていてもよい。
【００２７】
この構成によれば、金属体の電位は電源電位と同じになるが、ケースと金属体とは直接電気的に接続されていないため、電磁界的には結合されることはなく、通信性能を低下させることもない。加えて、金属体への放電の際、回路基板の集積回路を経由せずに電荷を電源部へ逃がすことができるため、耐静電気性を向上させる上で好適である。
【００２８】
（１２）上記（１１）に記載の通信機能付電子機器では、前記ムーブメントは、駆動機構を更に備え、前記貫通孔は、前記駆動機構と平面的に重ならない位置に配置されていてもよい。
【００２９】
この構成によれば、金属体への放電の際、駆動機構を経由せずに電荷を電源部へ逃がすことができるため、耐静電気性を向上させる上で好適である。
【００３０】
（１３）上記（１１）または（１２）に記載の通信機能付電子機器では、前記接続部材は、導電性を有する弾性体であってもよい。
【００３１】
この構成によれば、接続部材の弾性力によって回路基板と金属体とが電気的に接続されるため、回路基板と金属体との接続信頼性を向上させる上で好適である。
【００３２】
（１４）上記（１）から（１３）のいずれか一項に記載の通信機能付電子機器では、前記通信機能付電子機器は、時刻の表示を行う電子時計であってもよい。
【００３３】
この構成によれば、通信性能を向上させることができる電子時計を提供することができる。
【発明の効果】
【００３４】
本発明の実施形態によれば、通信性能を向上させることができる通信機能付電子機器を提供することができる。
【図面の簡単な説明】
【００３５】
【図１】第１実施形態の電子時計の平面図である。
【図２】図１のＩＩ−ＩＩ断面図である。
【図３】第１実施形態の電子時計の分解斜視図である。
【図４】図２のＩＶ部拡大図である。
【図５】図２のＶ部拡大図である。
【図６】図１のＶＩ−ＶＩ断面図である。
【図７】第１実施形態の第１変形例の電子時計の要部断面図である。
【図８】第１実施形態の第２変形例の電子時計の要部断面図である。
【図９】第１実施形態の第３変形例の電子時計の要部断面図である。
【図１０】第１実施形態の第４変形例の電子時計の平面図である。
【図１１】第２実施形態の電子時計の断面図である。
【図１２】図１１の要部断面図である。
【図１３】第２実施形態の電子時計における太陽電池の平面図である。
【図１４】図１３とは反対側の平面図である。
【図１５】第２実施形態の電子時計における太陽電池の分解斜視図である。
【発明を実施するための形態】
【００３６】
以下、本発明に係る実施形態について図面を参照して説明する。以下の実施形態では、通信機能付電子機器として通信機能付きの電子式腕時計（以下単に「電子時計」ともいう。）を例に挙げて説明する。例えば、電子時計の通信機能には、ＧＰＳ（Global Positioning System）、Ｗｉ-Ｆｉ、ブルートゥース（登録商標）等の通信機能、非接触式ＩＣカード機能などの無線通信機能が含まれる。以下の説明において、電子時計を腕に装着して使用するにあたって、使用者が視認する側を「表側」、表側とは反対側を「裏側」ということがある。なお、以下の説明に用いる図面では、各部材を認識可能な大きさとするため、各部材の縮尺を適宜変更している。
【００３７】
［電子時計］
図１は、第１実施形態の電子時計１の平面図である。図２は、図１のＩＩ−ＩＩ断面図である。図３は、第１実施形態の電子時計１の分解斜視図である。各図においては、電子時計１を腕に装着するためのベルトの図示を省略している。
図１に示すように、電子時計１は、ムーブメント２（図２参照）、文字板３（金属体）、金属製のケース４、絶縁部材５（図２参照）、ダイヤルリング６（図２参照）および接続部材７を備える。図１においては、カバーガラス８、指針９（例えば、時針、分針、秒針）など（図３参照）の図示を省略している。
【００３８】
図２に示すように、ムーブメント２は、通信を行うためのアンテナ１０を有する。アンテナ１０は、チップアンテナと回路基板上に形成された銅箔パターンで形成されている。文字板３は、ムーブメント２の一方側（表側）に配置されている。ケース４は、ムーブメント２および文字板３を収容する。ケース４は、平面視円形状の外形を有する（図１参照）。
【００３９】
図１に示すように、電子時計１は、ケース４の最内周と文字板３の外周との間を平面的に開口する開口部１１を有する。電子時計１（ケース４）の平面は、電子時計１の厚み方向に直交する平面を意味する。電子時計１の平面は、文字板３表面に平行な面である。図中符号Ｃ１は、ケース４の中心軸を示す。
【００４０】
開口部１１は、平面視円弧状を有する隙間１１ａ〜１１ｄが周方向に間隔をあけて複数（例えば本実施形態では４つ）配置されることにより構成されている。各隙間１１ａ〜１１ｄは、平面視で互いに実質的に同じ大きさを有する。開口部１１の大きさは、電子時計１に内蔵されるアンテナ１０に求められる送受信性能を確保可能な寸法に設定する。
【００４１】
［ムーブメント］
図３に示すように、ムーブメント２は、駆動ユニット２０、電池ユニット２１およびスイッチばね２２を備える。
駆動ユニット２０は、ムーブ枠２３、駆動機構２４および回路基板２５を備える。
ムーブ枠２３は、駆動機構２４が収容される機構収容部２３ａと、アンテナ１０が収容されるアンテナ収容部２３ｂ（図２参照）と、開口部１１（図２参照）の開口方向に開口する貫通孔２３ｃ（図６参照）と、を有する。以下、開口部１１の開口方向を単に「開口方向」ともいう。開口方向は、ケース４の中心軸Ｃ１と実質的に平行な方向（ケース４の厚み方向）である。
【００４２】
図２に示すように、機構収容部２３ａは、ムーブ枠２３を開口方向に貫通している。機構収容部２３ａは、平面視六角形状を有する（図３参照）。
アンテナ収容部２３ｂは、ムーブ枠２３の裏側に設けられた凹部である。アンテナ収容部２３ｂは、開口部１１の一部と平面的に重なっている。アンテナ収容部２３ｂの大きさは、アンテナ１０に求められる送受信性能を確保可能な寸法に設定する。
【００４３】
図３に示すように、貫通孔２３ｃは、アンテナ収容部２３ｂ（アンテナ１０）と平面的に重ならない位置に配置されている。平面視で、貫通孔２３ｃは、ケース４の中心軸Ｃ１を挟んでアンテナ収容部２３ｂとは反対側に配置されている。貫通孔２３ｃは、駆動機構２４と平面的に重ならない位置に配置されている。平面視で、貫通孔２３ｃは、機構収容部２３ａと間隔をあけて配置されている。
【００４４】
駆動機構２４は、指針９を駆動するための複数の歯車および歯車を回転させるモータ等（不図示）を備える。
回路基板２５は、集積回路２５ａおよびアンテナ１０を備える。回路基板２５には、電源電位に接続された電極が形成されている。図中符号２６は、回路基板２５をムーブ枠２３に固定するためのねじを示す。
【００４５】
電池ユニット２１は、電池２７、電池枠２８および電池押さえ２９を備える。
電池２７は、平面視円形状（コイン型）を有する。
図２に示すように、電池枠２８は、電池２７を収容する電池収容部２８ａを有する。電池収容部２８ａは、電池枠２８の裏側に設けられた凹部である。
電池押さえ２９は、電池２７を裏側から押さえるための部材である。
【００４６】
スイッチばね２２は、ムーブメント２の構成要素（駆動ユニット２０および電池ユニット２１）を一体的に組み付けるための部材である。スイッチばね２２は、自身の弾性力によって駆動ユニット２０と電池ユニット２１とを連結可能である。スイッチばね２２は、電池２７の端子（不図示）に当接する端子部２２ａと、電池枠２８の側面およびムーブ枠２３の側面に沿って延びるアーム部２２ｂと、を備える。例えば、アーム部２２ｂの先端をムーブ枠２３の側部（側面の凸部）に引っかけることにより駆動ユニット２０と電池ユニット２１を連結する。
【００４７】
［文字板］
文字板３は、時刻を表示する文字等（不図示）を有する。文字板３は、金属製である。なお、金属製には、金属のみで製造したものに限らず、樹脂などに金属の被膜をしたものも含まれる。図１に示すように、文字板３は、円板状の本体部３ａと、本体部３ａの外周に連結された位置決め凸部３ｂと、を備える。
本体部３ａは、平面視でケース４の開口内径（ケース４の最内周）よりも小さい外形を有する。
位置決め凸部３ｂは、周方向に間隔をあけて複数（例えば本実施形態では４つ）配置されている。各位置決め凸部３ｂの配置間隔は、互いに実質的に同じ大きさを有する。例えば、位置決め凸部３ｂは、本体部３ａと同一の部材で一体に形成されている。
【００４８】
［ケース］
ケース４は、金属製である。ケース４は、筒状の胴部４ａと、胴部４ａの内周から内方に突出する内フランジ部４ｂと、を備える。
胴部４ａは、ムーブメント２および文字板３を収容可能な大きさを有する。胴部４ａの内径は、ムーブメント２の最外形および文字板３の最外形よりも大きい。
内フランジ部４ｂは、平面視円環状を有する。内フランジ部４ｂの内径は、金属体の最外形よりも小さい。内フランジ部４ｂの表側は、ダイヤルリング６が収容されるダイヤルリング収容部として機能する。例えば、内フランジ部４ｂは、胴部４ａと同一の部材で一体に形成されている。
【００４９】
電子時計１は、胴部４ａの外側からムーブメント２を操作するためのボタン１２を備える。ボタン１２は、胴部４ａの外周に間隔をあけて複数配置されている。複数のボタン１２は、胴部４ａの側面のうち、３時位置（図１の右側）、８時位置（図１の左下側）、１０時位置（図１の左上側）にそれぞれ設けられている。
【００５０】
［絶縁部材］
図２に示すように、絶縁部材５（絶縁手段）は、ケース４と文字板３とを絶縁している。絶縁部材５は、開口方向においてケース４と文字板３との間に配置されている。絶縁部材５は、開口方向において文字板３よりも薄い。絶縁部材５は、文字板３の位置決め凸部３ｂとケース４の内フランジ部４ｂとの間に配置されている。絶縁部材５は、文字板３の本体部３ａの外周および位置決め凸部３ｂと平面的に重なる円環状を有する。例えば、絶縁部材５は、円環状のポリエステルシート（絶縁シート）である。
【００５１】
［ダイヤルリング］
ダイヤルリング６の表面には、目盛などが刻まれている。ダイヤルリング６は、絶縁性を有する。ダイヤルリング６は、開口部１１と平面的に重なる円環状を有する。ダイヤルリング６は、ケース４の内フランジ部４ｂの表側に配置される表側環状部６ａと、内フランジ部４ｂの径方向内側に配置される傾斜環状部６ｂと、を備える。表側環状部６ａの表側は、カバーガラス８が収容されるカバーガラス収容部として機能する。傾斜環状部６ｂの表側は、ケース４の中心軸Ｃ１の側ほど裏側（文字板３側）に位置するように傾斜する傾斜面６ｃを有する。例えば、傾斜環状部６ｂは、表側環状部６ａと同一の部材で一体に形成されている。
【００５２】
カバーガラス８は、ケース４の表側を塞いでいる。カバーガラス８は、円板状を有する。カバーガラス８は、ダイヤルリング６の表側環状部６ａに載置されている。カバーガラス８は、パッキン１４を介してケース４の胴部４ａの表側端部に嵌め込まれている。
図中符号１３は、ケース４の裏側を塞ぐための裏蓋を示す。裏蓋１３は、ケース４の胴部４ａの裏側端部に取り付けられている。
【００５３】
［接続部材］
図６に示すように、接続部材７は、回路基板２５と文字板３とを電気的に接続している。具体的に、接続部材７は、回路基板２５の表側に形成した電池のプラス電位のパターン（不図示）と、文字板３の裏側とを電気的に接続している。接続部材７は、ムーブ枠２３の貫通孔２３ｃに配置されている。接続部材７は、導電性を有する弾性体である。例えば、接続部材７は、コイルばねである。
【００５４】
以上説明したように、本実施形態に係る電子時計１は、通信を行うためのアンテナ１０を有するムーブメント２と、ムーブメント２の表側に配置された文字板３と、ムーブメント２および文字板３を収容する金属製のケース４と、を備え、ケース４の最内周と文字板３の外周との間には、平面的に開口する開口部１１が設けられていることを特徴とする。
【００５５】
この構成によれば、ケース４の最内周と文字板３の外周との間には、平面的に開口する開口部１１が設けられていることで、開口部１１を通じて電波の通過領域を確保することができる。すなわち、ケース４の内周部と文字板３の外周部とが平面的に全体的に重なる構成と比較して、電波の通過領域を拡大することができる。したがって、電子時計１の通信性能を向上させることができる。加えて、ケース４を金属製とした場合には、文字板３の金属光沢と相俟って外観上の高級感をより一層高めることができる。
【００５６】
本実施形態では、ケース４と文字板３とを絶縁する絶縁部材５を備える。
【００５７】
この構成によれば、ケース４と文字板３とが直接電気的に接続されず、電磁界的には結合されない。これにより、電波の遮断性能を低下させ、電子時計１の通信性能をより一層向上させることができる。
【００５８】
本実施形態では、絶縁部材５は、開口部１１の開口方向においてケース４と文字板３との間に配置されている。
【００５９】
この構成によれば、開口部１１の開口方向においてケース４と文字板３とが絶縁され、電波の遮断性能が低下するため、電子時計１の通信性能をより一層向上させることができる。加えて、裏蓋１３とケース４との絶縁を行わなくても十分な通信性能を確保することができる。
【００６０】
本実施形態では、文字板３は、開口部１１の開口方向においてケース４と金属体とを位置決めするための位置決め凸部３ｂを備える。絶縁部材５は、位置決め凸部３ｂとケース４と間に配置されていてもよい。
【００６１】
この構成によれば、位置決め凸部３ｂによって開口部１１の開口方向におけるケース４と文字板３との位置決め（断面方向の位置決め）を行うことができる。加えて、位置決め凸部３ｂによって絶縁部材５の平面的な配置スペースを確保することができる。
【００６２】
本実施形態では、文字板３は、円板状の本体部３ａと、本体部３ａの外周に連結された位置決め凸部３ｂと、を備える。絶縁部材５は、本体部３ａの外周および位置決め凸部３ｂと平面的に重なる円環状を有する。
【００６３】
この構成によれば、本体部３ａの外周および位置決め凸部３ｂと平面的に重なる円環状の部分（絶縁部材５）においてケース４と文字板３とが絶縁され、電波の遮断性能が低下するため、電子時計１の通信性能をより一層向上させることができる。加えて、本体部３ａの外周および位置決め凸部３ｂによって絶縁部材５を広範囲で安定して支持することができる。
【００６４】
本実施形態では、金属体は、金属製の文字板３である。電子時計１は、開口部１１と平面的に重なる絶縁性のダイヤルリング６を備える。
【００６５】
この構成によれば、ダイヤルリング６によって開口部１１が隠れるため、外観性をより一層高めることができる。加えて、ケース４を金属製とした場合には、文字板３の金属光沢と相俟って外観上の高級感をより一層高めることができる。
【００６６】
本実施形態では、ムーブメント２は、電源電位に接続された電極が形成された回路基板２５を備える。電子時計１は、回路基板２５と文字板３とを電気的に接続する接続部材７を備える。
【００６７】
ところで、文字板３の電位がフローティングの場合、ケース４に印加された電荷（静電気）が文字板３に放電する可能性が高い。文字板３への放電は一時的かつ微小なものであるが、放電の際、ムーブメント２の回路基板２５に影響を及ぼす可能性が高い。これに対しこの構成によれば、接続部材７によって回路基板２５（具体的には回路基板２５に形成され、電源電位に接続された電極）と文字板３とが電気的に接続されることで、文字板３の電位が電源電位と同じになるため、文字板３への放電の際、回路基板２５に影響を及ぼす可能性は低い。したがって、耐静電気性の低下を抑制することができる。
【００６８】
本実施形態では、ムーブメント２は、開口部１１の開口方向に開口する貫通孔２３ｃを有するムーブ枠２３を備える。貫通孔２３ｃは、アンテナ１０と平面的に重ならない位置に配置されている。接続部材７は、ムーブ枠２３の貫通孔２３ｃに配置されている。
【００６９】
この構成によれば、文字板３の電位は電源電位と同じになるが、ケース４と文字板３とは直接電気的に接続されていないため、電磁界的には結合されることはなく、通信性能を低下させることもない。加えて、文字板３への放電の際、回路基板２５の集積回路２５ａを経由せずに電荷を電源部へ逃がすことができるため、耐静電気性を向上させる上で好適である。
【００７０】
本実施形態では、ムーブメント２は、駆動機構２４を備える。貫通孔２３ｃは、駆動機構２４と平面的に重ならない位置に配置されている。
【００７１】
この構成によれば、文字板３への放電の際、駆動機構２４を経由せずに電荷を電源部へ逃がすことができるため、耐静電気性を向上させる上で好適である。
【００７２】
本実施形態では、接続部材７は、導電性を有する弾性体である。
【００７３】
この構成によれば、接続部材７の弾性力によって回路基板２５と文字板３とが電気的に接続されるため、回路基板２５と文字板３との接続信頼性を向上させる上で好適である。
【００７４】
なお、本発明の技術範囲は上述した実施形態に限定されるものではなく、本発明の趣旨を逸脱しない範囲において種々の変更を加えることが可能である。
【００７５】
例えば、上述した実施形態では、通信機能付電子機器の一例として、通信機能付きの電子式腕時計を例に挙げて説明したが、これに限らない。例えば、通信機能付電子機器は、電子式腕時計よりも大型の電子時計であってもよい。例えば、電子時計以外の種々の通信機能付電子機器（時計機能を有しない電子機器）に本発明を適用してもよい。
【００７６】
上述した実施形態では、絶縁部材５が円環状のポリエステルシートである例をあげて説明したが、これに限らない。例えば、絶縁部材５は、周方向に分割されていてもよい。例えば、絶縁部材５は、文字板３の表側または内フランジ部４ｂの裏側に印刷されていてもよい。
【００７７】
上述した実施形態では、絶縁手段が絶縁部材である例をあげて説明したが、これに限らない。例えば、絶縁手段は空隙等の他の絶縁手段であってもよい。
【００７８】
以下の変形例において、上記実施形態と同一の構成には同一の符号を付し、その詳細な説明は省略する。
【００７９】
［第１変形例］
図７は、第１実施形態の第１変形例の電子時計１０１の要部断面図である。図７は、図５に相当する断面図である。
上述した実施形態では、ケース４と文字板３とを絶縁する絶縁部材５を備える例を挙げて説明したが、これに限らない。例えば、図７に示すように、電子時計１は、絶縁部材５を有しなくてもよい。本変形例では、絶縁部材５は、開口方向においてケース４と文字板３との間に配置されていない。
【００８０】
ダイヤルリング１０６は、開口方向においてケース４と文字板３との間に空隙１１５を維持した状態で文字板３を支持している。これにより、ケース４と文字板３とを絶縁している。ダイヤルリング１０６は、文字板３の外周表面に直接的に当接可能な当接面１０６ｄを有する。ケース４の内フランジ部４ｂの裏面と文字板３の位置決め凸部３ｂの表面との間には、空隙１１５が形成されている。
【００８１】
本変形例では、ダイヤルリング１０は、開口部１１の開口方向においてケース４と金属体との間に空隙１１５を維持した状態で文字板３を支持している。
【００８２】
この構成によれば、開口部１１の開口方向においてケース４と文字板３とが絶縁され、電波の遮断性能が低下するため、電子時計１０１の通信性能をより一層向上させることができる。
【００８３】
［第２変形例］
図８は、第１実施形態の第２変形例の電子時計２０１の要部断面図である。図８は、図５に相当する断面図である。
上述した実施形態では、ダイヤルリング６の表面に目盛などが刻まれている例を挙げて説明したが、これに限らない。例えば、図８に示すように、ダイヤルリング６は、金属製の目盛、金属製の装飾を含む金属製のリング側金属体２１６を備えていてもよい。リング側金属体２１６は、文字板３およびケース４と絶縁されている。
【００８４】
リング側金属体２１６は、ダイヤルリング６の傾斜面６ｃに配置されている。例えば、リング側金属体２１６は、金属粉末を含む液体を傾斜環状部６ｂの表面に塗布することにより形成する。
なお、リング側金属体２１６は、ダイヤルリング６の目盛および装飾を含むことに限らない。例えば、リング側金属体２１６は、金属製の目盛、金属製の装飾、金属粉末を含む塗装、金属粉末を含む印刷、のいずれか一つを含んでいてもよい。すなわち、リング側金属体２１６は、金属製の目盛、金属製の装飾、金属粉末を含む塗装、金属粉末を含む印刷、の少なくとも一つを含んでいてもよい。
【００８５】
本変形例では、ダイヤルリング６は、金属製の目盛、金属製の装飾を含むリング側金属体２１６を備える。リング側金属体２１６は、文字板３およびケース４と絶縁されている。
【００８６】
この構成によれば、リング側金属体２１６の金属光沢によって外観上の高級感をより一層高めることができる。加えて、リング側金属体２１６は無給電素子と同様の性能を発揮し、アンテナの送受信性能を向上させることができ、電子時計２０１の通信性能をより一層向上させることができる。
【００８７】
［第３変形例］
図９は、第１実施形態の第３変形例の電子時計３０１の要部断面図である。図９は、図５に相当する断面図である。
上述した第２変形例では、リング側金属体２１６が傾斜環状部６ｂの表面にのみ形成されている例を挙げて説明したが、これに限らない。例えば、図９に示すように、リング側金属体３１６は、傾斜環状部３０６ｂおよび表側環状部３０６ａにわたって形成されていてもよい。ダイヤルリング３０６の傾斜面３０６ｃは、傾斜環状部３０６ｂおよび表側環状部３０６ａに跨って形成されている。例えば、リング側金属体３１６は、金属粉末を含む液体を傾斜環状部３０６ｂおよび表側環状部３０６ａの傾斜面３０６ｃに全体的に塗布することにより形成してもよい。
【００８８】
［第４変形例］
図１０は、第１実施形態の第４変形例の電子時計４０１の平面図である。図１０は、図１に相当する平面図である。
上述した実施形態では、文字板３は、円板状の本体部３ａと、本体部３ａの外周に連結された位置決め凸部３ｂと、を備える例を挙げて説明したが、これに限らない。例えば、図１０に示すように、文字板４０３は、位置決め凸部３ｂを有しなくてもよい。すなわち、文字板４０３自体が円板状を有していてもよい。この場合、文字板３の断面的な位置決め及びケース４との絶縁は、第１変形例と同様の構成で行うとよい。
【００８９】
［第２実施形態］
図１１は、第２実施形態の電子時計５０１の断面図である。図１１は、図２に相当する断面図である。図１２は、図１１の要部断面図である。図１２は、図５に相当する断面図である。図１３は、第２実施形態の電子時計５０１における太陽電池５３０の平面図である。図１４は、図１３とは反対側の平面図である。図１５は、第２実施形態の電子時計５０１における太陽電池５３０の分解斜視図である。
上述した実施形態では、金属体は、金属製の文字板３であり、電子時計１は、開口部１１と平面的に重なる絶縁性のダイヤルリング６を備える例を挙げて説明したが、これに限らない。例えば、図１１に示すように、金属体は、太陽電池５３０の裏面電極５３１であり、開口部１１と平面的に重なる絶縁性の文字板５０３を備えてもよい。図１２に示すように、文字板５０３の外周表面は、金属製のケース４の内フランジ部４ｂの裏面と接触している。
【００９０】
文字板５０３は、光透過性を有する絶縁材料で形成されている。
太陽電池５３０は、文字板５０３の裏面側に設けられている。図１３に示すように、太陽電池５３０は、平面視円形状を有する。太陽電池５３０は、指針軸を挿通させるための軸挿通孔５３０ａと、アンテナ収容部２３ｂ（図１１参照）と平面的に重なる非発電部５３０ｂと、を有する。
【００９１】
図１５に示すように、太陽電池５３０は、裏面電極５３１、ベースフィルム５３２、ソーラーフィルム５３３および保護層５３４を備える。裏面電極５３１、ベースフィルム５３２、ソーラーフィルム５３３および保護層５３４は、太陽電池５３０の裏側からこの順に配置されている。図中符号５３５，５３６は、太陽電池５３０が発電した電力を出力するための発電電力出力端子（第一端子５３５、第二端子５３６）を示す。なお、ソーラーフィルムとは、ベースフィルムに形成された各ソーラーセルすべてをあらわす。
【００９２】
裏面電極５３１は、円板状を有する。裏面電極５３１は、平面視でケース４の開口内径（ケース４の最内周）よりも小さい外形を有する。裏面電極５３１は、軸挿通孔５３０ａに対応する軸孔５３１ａと、非発電部５３０ｂに対応する貫通孔５３１ｂと、を有する。
ベースフィルム５３２は、裏面電極５３１よりも大きい円板状を有する。ベースフィルム５３２は、樹脂などの絶縁材料で形成されている。ベースフィルム５３２は、軸挿通孔５３０ａに対応する軸孔５３２ａと、非発電部５３０ｂに対応する貫通孔５３２ｂと、を有する。
保護層５３４は、ベースフィルム５３２と実質的に同じ大きさの円板状を有する。保護層５３４は、光透過性を有する絶縁材料で形成されている。保護層５３４は、軸挿通孔５３０ａに対応する軸孔５３４ａと、非発電部５３０ｂに対応する貫通孔５３４ｂと、を有する。
【００９３】
ソーラーフィルム５３３は、周方向に隣接して配置された複数（例えば本実施形態では６つ）のソーラーセル５３３ａ１〜５３３ａ６を備える。例えば、各ソーラーセル５３３ａ１〜５３３ａ６は、アモルファスシリコン等で形成されている。各ソーラーセル５３３ａ１〜５３３ａ６は、直列接続されている。図中において、符号５３３ｂ１〜５３３ｂ５は隣接する２つのソーラーセル５３３ａ１〜５３３ａ６を電気的に接続する接続部、符号５３３ｃは軸挿通孔５３０ａに対応する軸孔、符号５３３ｄは非発電部５３０ｂに対応する切り欠き部をそれぞれ示す。
【００９４】
各ソーラーセル５３３ａ１〜５３３ａ６は、直列接続された状態で回路基板２５（図１１参照）と電気的に接続されている。図中において、第一凸部５３３ｊを有するソーラーセル５３３ａ１を「第一ソーラーセル５３３ａ１」、第二凸部５３３ｋを有するソーラーセル５３３ａ２を「第二ソーラーセル５３３ａ２」という。例えば、第一ソーラーセル５３３ａ１は、第一端子５３５を介して回路基板２５のプラス電極と電気的に接続されている。例えば、第二ソーラーセル５３３ａ２は、第二端子５３６を介して回路基板２５のマイナス電極と電気的に接続されている。
【００９５】
本変形例では、金属体は、太陽電池５３０の裏面電極５３１である。電子時計５０１は、開口部１１と平面的に重なる絶縁性の文字板５０３を備える。
【００９６】
この構成によれば、太陽電池５３０を備えた電子時計５０１の通信性能を向上させることができる。加えて、文字板５０３によって開口部１１が隠れるため、外観性をより一層高めることができる。ところで、通信性能を確保するためにアンテナと平面的に重なる部分にアンテナよりも大きい開口部を設けた場合、必要な発電面積を確保するために太陽電池の外形を拡大する必要があり、小型化を図る上で課題がある。これに対しこの構成によれば、ケース４の最内周と裏面電極５３１の外周との間を平面的に開口する開口部１１を備えることで、太陽電池５３０の外形を拡大することなく、開口部１１を通じて電波の通過領域を確保し、アンテナの送受信性能を維持させることができる。したがって、電子時計５０１の小型化を図る上で好適である。
【００９７】
なお、第２実施形態では、ソーラーフィルム５３３が６つのソーラーセル５３３ａ１〜５３３ａ６を備える例を挙げて説明したが、これに限らない。各ソーラーセルの配置数は要求仕様に応じて変更することができる。
【００９８】
その他、本発明の趣旨を逸脱しない範囲で、上記した実施形態における構成要素を周知の構成要素に置き換えることは可能である。また、上述した各変形例を組み合わせても構わない。
【符号の説明】
【００９９】
１，１０１，２０１，３０１，４０１，５０１…電子時計
２…ムーブメント
３，４０３…文字板（金属体）
３ａ…本体部
３ｂ…位置決め凸部
４…ケース
５…絶縁部材（絶縁手段）
６，１０６，３０６…ダイヤルリング
７…接続部材
１０…アンテナ
１１…開口部
２４…駆動機構
２５…回路基板
２１６，３１６…リング側金属体
５０３…文字板
５３０…太陽電池
５３１…裏面電極（金属体）
【図１】
2020159763.tif 000003
【図２】
2020159763.tif 000004
【図３】
2020159763.tif 000005
【図４】
2020159763.tif 000006
【図５】
2020159763.tif 000007
【図６】
2020159763.tif 000008
【図７】
2020159763.tif 000009
【図８】
2020159763.tif 000010
【図９】
2020159763.tif 000011
【図１０】
2020159763.tif 000012
【図１１】
2020159763.tif 000013
【図１２】
2020159763.tif 000014
【図１３】
2020159763.tif 000015
【図１４】
2020159763.tif 000016
【図１５】
2020159763.tif 000017